(57)【要約】【課題】自動販売機の主制御部が異常動作した場合でも、電子マネーの決済処理情報を容易に出力することの可能な自動販売機用リーダライタを提供する。【解決手段】主制御部２２の動作状態を検知する検知部１０２と、検知部１０２によって所定の異常動作が検知されたときに主制御部２２との接続を自動販売機に設けられた決済情報出力部２３との接続に切替える切替部１０３と、切替部１０３によって接続が切替えられたときに電子マネー決済情報１１０を決済情報出力部２３から出力するように制御するＲＷ制御部１０９とを備えたので、電子マネー決済情報１１０を取得するための装置を自動販売機用リーダライタ１１０に直接接続することなく、電子マネー決済情報１１０を取得することができる。従って、電子マネー決済情報１１０を容易に出力することができることから、電子マネー決済情報１１０の確認及び収集を短時間で行うことができる。【選択図】図３
2008129612.tif 000002
【特許請求の範囲】
【請求項１】
自動販売機内の制御装置を制御する主制御部に伝送路を介して接続するように設けられ、主制御部から受信した信号に基づいて所定の情報記憶媒体に記憶された電子マネー残高を読み書きすることにより、電子マネーの決済処理を行うようにした自動販売機用リーダライタにおいて、
前記主制御部の動作状態を検知する検知手段と、
検知手段によって所定の異常動作が検知されたときに主制御部との接続を自動販売機に設けられた決済情報出力部との接続に切替える切替手段と、
切替手段によって接続が切替えられたときに電子マネーの決済処理情報を決済情報出力部から出力するように制御する制御手段とを備えた
ことを特徴とする自動販売機用リーダライタ。
【請求項２】
前記切替手段は、検知手段によって所定の異常動作が検知されたときに主制御部との接続を、商品搬出機構を駆動する搬出駆動部との接続に切替えるとともに、
制御手段は、切替手段によって主制御部との接続が搬出駆動部との接続に切替えられ、且つ所定の識別情報を有する情報記憶媒体との間でデータ通信を行ったときに、商品搬出機構から商品を搬出するように搬出駆動部を制御する
ことを特徴とする請求項１記載の自動販売機用リーダライタ。
【請求項３】
前記制御手段は、電子マネーの決済処理情報とともに商品収納庫の温度情報を決済情報出力部に出力させる
ことを特徴とする請求項１または２記載の自動販売機用リーダライタ。
【請求項４】
前記制御手段は、電子マネーの決済処理情報とともに主制御部の異常動作発生時刻を決済情報出力部に出力させる
ことを特徴とする請求項１、２または３記載の自動販売機用リーダライタ。
【請求項５】
前記検知手段、切替手段及び制御手段の少なくとも一つと前記伝送路とを接続するためのインタフェース部を一つ設けた
ことを特徴とする請求項１、２、３または４記載の自動販売機用リーダライタ。
【発明の詳細な説明】
【技術分野】
【０００１】
本発明は、例えば缶、ビンまたはペットボトル入りの飲料等の商品を販売する自動販売機に設けられ、電子マネーの残高が記憶された情報記憶媒体に対して電子マネーを用いた決済処理を行うことの可能な自動販売機用リーダライタに関するものである。
【背景技術】
【０００２】
従来、この種の自動販売機用リーダライタとして、自動販売機内の制御装置を制御する主制御部に伝送路を介して接続するように設けられ、主制御部から受信した信号に基づいて所定の情報記憶媒体に記憶された電子マネー残高を読み書きすることにより、電子マネーの決済処理を行うようにしたものが知られている（例えば特許文献１参照）。
【０００３】
この自動販売機用リーダライタでは、主制御部の制御に基づいて電子マネーの決済処理を行うようになっており、電子マネーの決済処理情報は、自動販売機に設けられた決済情報処理部から主制御部の制御に基づいて出力される。
【特許文献１】特開２０００−２０８０５号公報
【発明の開示】
【発明が解決しようとする課題】
【０００４】
しかしながら、前記従来例では、電子マネーの決済処理情報が決済情報出力部から主制御部の制御に基づいて出力されるので、例えば主制御部が異常動作した場合には、電子マネーの決済処理情報が決済情報出力部から出力されなくなる。この場合、自動販売機のオペレータが電子マネーの決済処理情報を取得するためには、電子マネーの決済処理情報を取得するための装置を自動販売機用リーダライタに直接接続する必要があることから、電子マネーの決済処理情報の確認及び収集処理が煩雑になるという問題点があった。
【０００５】
本発明は前記問題点に鑑みてなされたものであり、その目的とするところは、自動販売機の主制御部が異常動作した場合でも、電子マネーの決済処理情報を容易に出力することの可能な自動販売機用リーダライタを提供することにある。
【課題を解決するための手段】
【０００６】
本発明は、前記目的を達成するために、自動販売機内の制御装置を制御する主制御部に伝送路を介して接続するように設けられ、主制御部から受信した信号に基づいて所定の情報記憶媒体に記憶された電子マネー残高を読み書きすることにより、電子マネーの決済処理を行うようにした自動販売機用リーダライタにおいて、前記主制御部の動作状態を検知する検知手段と、検知手段によって所定の異常動作が検知されたときに主制御部との接続を自動販売機に設けられた決済情報出力部との接続に切替える切替手段と、切替手段によって接続が切替えられたときに電子マネーの決済処理情報を決済情報出力部から出力するように制御する制御手段とを備えている。
【０００７】
これにより、主制御部に所定の異常動作が検知されたときに主制御部との接続が決済情報出力部との接続に切替えられ、電子マネーの決済処理情報を決済情報出力部から出力するように制御されることから、電子マネーの決済処理情報を取得するための装置を自動販売機用リーダライタに直接接続することなく、電子マネーの決済処理情報を取得することが可能となる。
【発明の効果】
【０００８】
本発明によれば、電子マネーの決済処理情報を取得するための装置を自動販売機用リーダライタに直接接続することなく、電子マネーの決済処理情報を取得することができるので、電子マネーの決済処理情報を容易に出力することができ、電子マネーの決済処理情報の確認及び収集を短時間で行うことができる。
【発明を実施するための最良の形態】
【０００９】
図１乃至図８は本発明の一実施形態を示すもので、図１は自動販売機の斜視図、図２は図１に示した自動販売機の側面断面図、図３は図１に示した自動販売機の制御系構成を示すブロック図、図４は検知部及び切替部の論理回路を示す図、図５は電子マネー決済情報のデータ構造の一例を示す図、図６は非接触ＩＣカードの機能構成図、図７は決済の締め処理を行う場合のＲＷ制御部の動作を説明するフロー図、図８はマスタ装置として商品搬出を行う場合のＲＷ制御部の動作を説明するフロー図である。
【００１０】
まず、図１及び図２を参照して自動販売機の構造について説明する。
【００１１】
自動販売機本体１は箱形を成し、前面を開口した断熱室１ａをその内側に備えている。断熱室１ａは断熱性の仕切り板（図示省略）によって自動販売機本体１の幅方向に並ぶ複数の商品収納庫ＳＲに区分されている。
【００１２】
各商品収納庫ＳＲ内には、サーペンタイン式ラックから成る商品収納ラック２がそれぞれ配置されている。各商品収納ラック２は前面側上部に商品投入口２ａを有し、蛇行状の収納通路２ｂに缶入り飲料、瓶入り飲料、ペットボトル入り飲料等の商品Ｃを横向きで積み重ねた状態で収納している。また、各商品収納ラック２の下部には、収納商品Ｃを１個宛シュート板３上に落下搬出するための商品搬出機構２ｃが設けられている。さらに、各商品収納庫ＳＲ毎に配置された商品収納ラック２それぞれには、商品Ｃの有無を収納通路２ｂ単位で検知する売切検知センサ（図示省略）が設けられている。この商品収納ラック２には、サーペンタイン式ラックに限らず、サーペンタイン式ラックと同様に収納商品を１個宛搬出可能な他形式のラックを使用することが可能である。
【００１３】
また、各商品収納庫ＳＲ内には、その底部から背部にかけてシュート板３とダクト板４が設けられている。シュート板３及びダクト板４下側及び背面側の空間には、冷凍機構成機器のうちの蒸発器５と電熱ヒータ６と冷却・加温空気循環用送風機７等が配置され、ダクト板４の背面側空間はダクトＤとして構成されている。さらに、各商品収納庫ＳＲ内には、商品収納庫ＳＲの温度を検知する温度センサ（図示省略）がそれぞれ設けられている。
【００１４】
断熱室１ａの底板１ｂの下側には機械室ＭＲが設けられており、この機械室ＭＲ内には、冷凍機構成機器のうちの凝縮器８、圧縮機９及び膨張手段（図示省略）と排熱用送風機１０等が配置されている。
【００１５】
また、断熱室１ａの前側には、その前面開口を開閉自在に覆う断熱性の内扉１１が設けられている。断熱室１ａの上下左右の前端部（下側の前端部は底板１ｂの前端部）と各仕切り板の前端部には、内扉１１を閉じた状態で商品収納庫ＳＲを気密状態とするためのパッキン（符号無し）が設けられており、各商品収納庫ＳＲは内扉１１を閉じた状態で独立した断熱空間となる。さらに、内扉１１の下部には、各商品収納庫ＳＲのシュート板３に対応した窓穴１１ａが複数個形成されており、各窓穴１１ａには、シュート板３を滑り落ちる商品Ｃによって押し開けられるフラップドア１１ｂが設けられている。
【００１６】
つまり、この自動販売機では、各商品収納庫ＳＲが独立の断熱空間を構成し、しかも、各商品収納庫ＳＲに蒸発器５と電熱ヒータ６が独立して設けられていることから、後述の温度調整用設定器２９（図３参照）によって商品収納庫ＳＲ毎に冷却と加温と非冷却・加温の三つのモードの何れか一つを任意に選択して実施することができる。
【００１７】
外扉１２は自動販売機本体１の前面開口に開閉自在に設けられており、この外扉１２の表面上部にはアクリル板等からなる透明板１２ａが設けられている。また、透明板１２ａの後方には、複数の商品サンプルＳを展示する展示室１３が設けられている。また、各商品サンプルＳの下方には、それぞれ商品選択スイッチ１４が設けられている。各商品選択スイッチ１４は横長の押ボタンによって形成されており、その幅方向一端側には販売可能ランプ（図示省略）が設けられ、幅方向他端側には売切ランプ（図示省略）が設けられている。販売可能ランプは所定の色（例えば緑色）に発光するＬＥＤからなり、その商品選択スイッチ１４に対応する商品Ｃの販売価格以上の金銭が投入されると点灯して、その商品Ｃが販売可能であることを表示するようになっている。売切ランプは「売切」の文字を所定の色（例えば赤色）のＬＥＤによって発光させるようになっており、その商品選択スイッチ１４に対応する商品Ｃが売り切れになると点灯して、その商品Ｃが販売不可であることを表示するようになっている。
【００１８】
また、外扉１２の前面には、硬貨投入口１５、金額表示部１６、紙幣投入口１７、硬貨返却口１８、商品取出口１９、リーダライタ１００が図１に示すレイアウトで設けられている。因みに、商品取出口１９には、手動により開放可能なフラップドア２０が設けられ、その内側にはフラップドア１１ｂから排出された商品Ｃを受容する商品受け板２１が設けられている。
【００１９】
次に、図３を参照して図１及び図２に示した自動販売機の制御系構成について説明する。
【００２０】
主制御部２２はＣＰＵ、ＲＡＭ、ＲＯＭ、タイマ回路等を備えたコンピュータからなり、自動販売機本体１内に設けられた制御装置（スレーブ装置）を制御するマスタ装置として動作する。具体的に説明すると、主制御部２２には、決済情報出力部２３、搬出駆動部２４、硬貨処理機２５、紙幣識別機２６、圧縮機駆動部２７、ヒータ駆動部２８、温度調整用設定器２９、リーダライタ１００が第１の伝送路３０を介して接続されるとともに、各商品選択スイッチ１４、金額表示部１６、モデム３１、無線通信部３３が第２の伝送路３４を介して接続されており、主制御部２２は各伝送路３０，３４を介して制御信号を送信することにより、上記各装置をそれぞれ制御するようになっている。また、主制御部２２には、各商品収納庫ＳＲ毎に配置された商品収納ラック２内の商品Ｃの有無を収納通路２ｂ単位で検知する売切検知部（図示省略）と、各商品収納庫ＳＲの温度を検知する温度検知部（図示省略）とが第１伝送路３０を介して接続されている。勿論、第１伝送路３０と第２伝送路３４は一つの伝送路で構成してもよい。なお、主制御部２２には、投入貨幣に基づいて販売した商品Ｃの売上を表す貨幣決済情報を記憶する記憶装置（図示省略）が設けられている。
【００２１】
決済情報出力部２３は周知のプリンタであり、主制御部２２からの制御信号に基づいて、主制御部２２の記憶装置に記憶された貨幣決済情報と、リーダライタ１００に記憶された後述の電子マネー決済情報１１０とを所定の用紙に印字して出力する。
【００２２】
搬出駆動部２４は、各商品収納ラック２に設けられた商品搬出機構２ｃの動作、詳しくは商品搬出機構２ｃに用いられているソレノイド等のアクチュエータの動作を制御するためのもので、主制御部２２からの制御信号に基づいて所定の商品搬出機構２ｃを動作させて所期の商品搬出を行う。
【００２３】
硬貨処理機２５と紙幣識別機２６は外扉１２内に配置されていて、硬貨処理機２５は硬貨投入口１５を通じて投入された硬貨の真偽識別と計数と貯蔵を行い、投入硬貨の金額に関するデータを主制御部２２に送出する。紙幣識別機２６は紙幣投入口１７を通じて投入された紙幣の真偽識別と貯蔵を行い、投入紙幣の金額に関するデータを主制御部２２に送出する。
【００２４】
圧縮機駆動部２７は、冷凍機を構成する圧縮機９の動作、詳しくは圧縮機９を駆動するためのモータの運転を制御するためのもので、主制御部２２からの制御信号に基づいて所期の圧縮機駆動を行う。
【００２５】
ヒータ駆動部２８は、各電熱ヒータ６への通電を制御するためのもので、主制御部２２からの制御信号に基づいて所定の電熱ヒータ６への通電を行う。
【００２６】
温度調整用設定器２９は、先に述べた三つのモードの何れか一つを各商品収納庫ＳＲ毎に選択するためのもので、モード選択用の押しボタンスイッチ等を備え、選択されたモードに関するデータを主制御部２２に送出する。
【００２７】
第１伝送路３０は、図４に示すように、マスタ装置から送信された同期信号をスレーブ装置に伝えるための同期信号線３０ａと、マスタ装置から送信された制御信号をスレーブ装置に伝えるための送信信号線３０ｂと、スレーブ装置から送信された信号をマスタ装置に伝えるための受信信号線３０ｃとから構成されている。
【００２８】
モデム３１は公衆電話回線３２等を利用して外部サーバ等との間でデータ通信を行うためのものであり、無線通信部３３は携帯電話網やＰＨＳ電話網等を利用して外部サーバ等との間で無線にてデータ通信を行うためのものである。
【００２９】
以下に、本実施形態の自動販売機用リーダライタの構成について説明する。
【００３０】
リーダライタ１００は、主制御部２２からの制御信号に基づいて情報記憶媒体としての非接触ＩＣカード２００に記憶された電子マネー残高２０２ｃを読み書きすることにより、電子マネーの決済処理を行うものであって、主制御部２２が正常に動作しているときにはスレーブ装置として動作し、主制御部２２の異常動作を検知した場合にはマスタ装置として各装置２３〜２９を制御するように動作する。また、リーダライタ１００は、コネクタ１０１、検知部１０２、切替部１０３、表示部１０４、スイッチ１０５、ＲＦ回路部１０６、アンテナ１０７、記憶部１０８及びリーダライタ制御部１０９（以下、ＲＷ制御部１０９という）を備えており、ＲＷ制御部１０９には各機器１０２〜１０６，１０８が接続されている。
【００３１】
コネクタ１０１は、検知部１０２及び切替部１０３と第１伝送路３０とを接続するためのインタフェース部として用いられるものであって、リーダライタ１００内に一つ設けられている。
【００３２】
検知部１０２は主制御部２２の動作状態を検知するためのものであって、一端側がＲＷ制御部１０９に接続され、他端側がコネクタ１０１を介して第１伝送路３０の同期信号線３０ａに接続された同期信号線１０２ａと、一端側がＲＷ制御部１０９に接続され、他端側がコネクタ１０１を介して第１伝送路３０の各信号線３０ｂ，３０ｃそれぞれに接続された受信信号線１０２ｂと、ＡＮＤ回路１０２ｃと、複数のＮＯＴ回路１０２ｄ，１０２ｅ，１０２ｆとが図４に示すレイアウトで設けられている。ＡＮＤ回路１０２ｃには、第１伝送路３０の送信信号線３０ｂ及び受信信号線３０ｃをそれぞれ伝わる信号が、ＮＯＴ回路１０２ｄ，１０２ｅによって反転された状態で入力されるようになっている。また、ＡＮＤ回路１０２ｃの出力信号は、ＮＯＴ回路１０２ｆによって反転された状態でＲＷ制御部１０９に送出される。即ち、第１伝送路３０の送信信号線３０ｂ及び受信信号線３０ｃをそれぞれ伝わる信号が共に「Low」レベルであった場合には、ＡＮＤ回路１０２ｂの出力信号が「Low」レベルとなる。
【００３３】
なお、本実施形態では、主制御部２２からの同期信号がＲＷ制御部１０９に所定時間送信されていない場合、主制御部２２からの同期信号がＲＷ制御部１０９に送信された後に第１伝送路３０の送信信号線３０ｂから所定時間信号が送信されない場合、または検知部１０２の受信信号線１０２ｂから「Low」レベルの信号が所定時間継続してＲＷ制御部１０９に送信された場合に主制御部２２が異常動作したと判別する。
【００３４】
切替部１０３は、主制御部２２の異常動作が検知されたときに主制御部２２との接続を他の装置２３〜２９との接続に切替えるためのものであって、一端側がＲＷ制御部１０９に接続され、他端側がコネクタ１０１を介して第１伝送路３０の同期信号線３０ａに接続された同期信号線１０３ａと、一端側がＲＷ制御部１０９に接続され、他端側がコネクタ１０１を介して第１伝送路３０の各信号線３０ｂ，３０ｃそれぞれに接続された送信信号線１０３ｂ及び受信信号線１０３ｃと、リーダライタ１００がスレーブ装置またはマスタ装置のどちらで動作しているかを表す識別信号を伝えるための識別信号線１０３ｄと、複数のＡＮＤ回路１０３ｅ〜１０３ｊと、複数のＮＯＴ回路１０３ｋ〜１０３ｌとが図４に示すレイアウトで設けられている。ＲＷ制御部１０９は、リーダライタ１００がスレーブ装置として動作している場合には「High」レベルの信号を、マスタ装置として動作している場合には「Low」レベルの信号を、それぞれ識別信号線１０３ｄに送出する。
【００３５】
ここで、リーダライタ１００がスレーブ装置として動作している場合には、各ＡＮＤ回路１０３ｅ，１０３ｈ，１０３ｉの一つの入力信号が常に「High」レベルとなるから、ＲＷ制御部１０９は、第１伝送路３０の同期信号線３０ａを伝わる同期信号を受信するとともに、第１伝送路３０の受信信号線３０ｃに信号を送出することが可能となる。さらに、ＲＷ制御部１０９は、第１伝送路３０の送信信号線３０ｂを伝わる信号を受信することが可能となる。なお、この場合には、各ＡＮＤ回路１０３ｆ，１０３ｇ，１０３ｊの出力信号が常に「Low」レベルとなるから、ＲＷ制御部１０９は、同期信号線１０３ａ上の同期信号を第１伝送路３０の同期信号線３０ａに送出することがなく、第１伝送路３０の送信信号線３０ｂに信号を送出することもない。さらに、ＲＷ制御部１０９は、第１伝送路３０の受信信号線３０ｃ上の信号を受信することがない。
【００３６】
また、リーダライタ１００がマスタ装置として動作している場合には、各ＡＮＤ回路１０３ｆ，１０３ｇ，１０３ｊの一つの入力信号が常に「High」レベルとなるから、ＲＷ制御部１０９は、同期信号線１０３ａを伝わる同期信号を第１伝送路３０の同期信号線３０ａに送出するとともに、第１伝送路３０の送信信号線３０ｂに信号を送出することが可能となる。さらに、ＲＷ制御部１０９は、第１伝送路３０の受信信号線３０ｃに送出された信号を受信することが可能となる。なお、この場合には、各ＡＮＤ回路１０３ｅ，１０３ｈ，１０３ｉの出力信号が常に「Low」レベルとなるから、ＲＷ制御部１０９は、第１伝送路３０の同期信号線３０ａ上の同期信号を受信することがなく、第１伝送路３０の受信信号線３０ｃに信号を送出することもない。さらに、ＲＷ制御部１０９は、第１伝送路３０の送信信号線３０ｂ上の信号を受信することがない。
【００３７】
表示部１０４は周知の液晶ディスプレイ等の表示機器であり、ＲＷ制御部１０９から受信した文字情報や画像情報を所定の大きさで表示する。
【００３８】
スイッチ１０５は、貨幣及び電子マネーを用いた決済の締め処理を指示するためのものであって、押下されたときに所定の決済処理信号をＲＷ制御部１０９に送信する。
【００３９】
ＲＦ回路部１０６は、アンテナ１０７を介してＲＷ制御部１０９と非接触ＩＣカード２００との間のデータ通信を非接触で行うためのものであって、周知のＡＤ／ＤＡ変換器及び整流回路等から構成されている。
【００４０】
記憶部１０８はＥＥＰＲＯＭ等の書き換え可能な記憶素子であり、電子マネーの残高に基づいて販売した商品Ｃの売上を表す電子マネー決済情報１１０が記憶されている。電子マネー決済情報１１０は、図５に示すように、利用者ＩＤ１１０ａ、取引日時１１０ｂ、決済額１１０ｃ及び決済後の電子マネー残高１１０ｄからなる複数の決済レコードで構成されており、電子マネーの決済処理が正常終了したときに、新たな決済レコードがＲＷ制御部１０９によって記憶される。また、記憶部１０８には、決済情報出力部２３、搬出駆動部２４、圧縮機駆動部２７、ヒータ駆動部２８及び温度調整用設定器２９のそれぞれを制御するための制御プログラム及び制御信号が予め記憶されている。
【００４１】
ＲＷ制御部１０９はＣＰＵ、ＲＡＭ、ＲＯＭ及びタイマ回路等を備えたコンピュータからなり、リーダライタ１００内の各種機器を制御するためのものである。また、ＲＷ制御部１０９は、リーダライタ１００がスレーブ装置として動作しているときには主制御部２２の制御信号に基づいて電子マネーの決済処理を行い、主制御部２２が異常動作したときには、リーダライタ１００がマスタ装置として動作するように制御する。具体的には、ＲＷ制御部１０９は、マスタ装置として動作するために切替部１０３の識別信号線１０３ｄに「Low」レベルの信号を送信する。これにより、第１伝送路３０を介した主制御部２２との接続が決済情報出力部２３、搬出駆動部２４、圧縮機駆動部２７、ヒータ駆動部２８及び温度調整用設定器２９との接続に切替えられる。また、ＲＷ制御部１０９は、記憶部１０８の制御プログラムを実行して制御信号を送信することにより、決済情報出力部２３、搬出駆動部２４、圧縮機駆動部２７、ヒータ駆動部２８及び温度調整用設定器２９のそれぞれを制御する。
【００４２】
次に、リーダライタ１００との間で電子マネーの決済処理を行う非接触ＩＣカード２００の構成について説明する。
【００４３】
非接触ＩＣカード２００には、リーダライタ１００との間で非接触で信号を送受信するためのコイル状のアンテナ（図示省略）と、アンテナに接続されたＩＣチップとが埋設されている。このＩＣチップには、図６に示すように、ＩＣチップ内の回路を制御するＩＣカード制御部２０１と、各種情報を記憶するＩＣカード記憶部２０２とが設けられている。
【００４４】
ＩＣカード制御部２０１はＣＰＵ及びＲＡＭ、ＲＯＭ等のメモリを備え、アンテナを介して受信したＩＣカード用コマンドに基づいて、ＩＣカード記憶部２０２に記憶された各種情報の更新または読出し処理を行う。
【００４５】
ＩＣカード記憶部２０２は、ＥＥＰＲＯＭ等の書き換え可能な記憶素子であり、カードＩＤ２０２ａと、利用者ＩＤ２０２ｂと、電子マネー残高２０２ｃとが記憶されている。カードＩＤ２０２ａは非接触ＩＣカード２００を識別するためのものであり、複数の非接触ＩＣカード２００毎にそれぞれ異なるＩＤが付与されている。利用者ＩＤ２０２ｂは電子マネーサービスの利用者を識別するためのものであり、電子マネーサービスに用いられる非接触ＩＣカード２００毎にそれぞれ異なるＩＤが付与されている。なお、本実施形態では、カードＩＤ２０２ａに所定の値が付与された非接触ＩＣカード２００を自動販売機の管理者用カードとして用いており、管理者用カードと通信を行った場合のＲＷ制御部１０９の動作については後述する。
【００４６】
以上のように構成された自動販売機は、主制御部２２がマスタ装置として貨幣の金額及び電子マネーの残高に応じた商品Ｃの販売及び商品Ｃの温度調整等を行うようになっている。ここで、利用者が貨幣または電子マネーを用いて商品Ｃを購入する場合の主制御部２２の動作を説明する。
【００４７】
まず、貨幣を用いて商品Ｃを購入する場合の動作を説明すると、主制御部２２は、電波硬貨投入口１５または紙幣投入口１７に投入された貨幣の金額を硬貨処理機２５または紙幣識別機２６から取得したときに、投入金額を金額表示部１６に表示させるとともに、その投入金額で販売可能な商品Ｃに対応する商品選択スイッチ１４の販売可能ランプを点灯させる。そして、利用者が販売可能な商品Ｃを選択すると、主制御部２２は、選択商品が収納されている商品収納ラック２の商品搬出機構２ｃを動作させて商品搬出を行う。次いで、主制御部２２は、搬出された商品Ｃの価格や販売数等を記憶装置の貨幣決済情報に記憶する。
【００４８】
次に、電子マネーを用いて商品Ｃを購入する場合の動作を説明する。まず、主制御部２２は、非接触ＩＣカード２００の電子マネー残高２０２ｃを取得するための制御信号をリーダライタ１００に送信する。この場合、ＲＷ制御部１０９は、非接触ＩＣカード２００のカードＩＤ２０２ａを取得するためのＩＣカード用コマンドを、所定時間経過毎にＲＦ回路部１０６及びアンテナ１０７を介して外部に送信する。ここで、非接触ＩＣカード２００のＩＣカード制御部２０１がＩＣカード用コマンドを受信すると、ＩＣカード記憶部２０２のカードＩＤ２０２ａをリーダライタ１００に送信する。次に、ＲＷ制御部１０９は、カードＩＤ２０２ａを取得すると、利用者ＩＤ２０２ｂ及び電子マネー残高２０２ｃを読出すためのＩＣカード用コマンドを非接触ＩＣカード２００に送信することにより、利用者ＩＤ２０２ｂ及び電子マネー残高２０２ｃを取得する。そして、ＲＷ制御部１０９は、取得した電子マネー残高２０２ｃを主制御部２２に送信する。
【００４９】
主制御部２２は、リーダライタ１００から取得した電子マネー残高２０２ｃを金額表示部１６に表示させるとともに、その電子マネー残高２０２ｃで販売可能な商品Ｃに対応する商品選択スイッチ１４の販売可能ランプを点灯させる。そして、利用者が販売可能な商品Ｃを選択すると、主制御部２２は、選択商品の価格情報と共に電子マネーの決済処理を行うための制御信号をリーダライタ１００に送信する。この場合、ＲＷ制御部１０９は、電子マネー残高２０２ｃから選択商品の価格を減算するためのＩＣカード用コマンドを非接触ＩＣカード２００に送信することにより、非接触ＩＣカード２００の電子マネー残高２０２ｃを更新する。そして、主制御部２２は、電子マネー残高２０２ｃの更新が正常終了したことを表す信号をＲＷ制御部１０９から受信すると、選択商品が収納されている商品収納ラック２の商品搬出機構２ｃを動作させて商品搬出を行う。なお、ＲＷ制御部１０９は、電子マネー残高２０２ｃの更新が正常終了したときに、非接触ＩＣカード２００から取得した利用者ＩＤ２０２ｂ、取引日時、選択商品の価格情報（決済額）及び更新後の電子マネー残高２０２ｃからなる決済レコードを記憶部１０８の電子マネー決済情報１１０に記憶する。
【００５０】
次に、貨幣及び電子マネーを用いた決済の締め処理を行う場合のＲＷ制御部１０９の動作について図７のフローを参照して説明する。最初に主制御部２２が正常動作している場合の動作について説明し、次に主制御部２２が異常動作した場合の動作について説明する。なお、初期状態では、リーダライタ１００はスレーブ装置として動作しているものとする。
【００５１】
まず、ＲＷ制御部１０９は、検知部１０２から受信した信号に基づいて主制御部２２が正常に動作しているか否かを判別する（ステップＳ１）。次に、ＲＷ制御部１０９は、主制御部２２が正常に動作していると判別した後でスイッチ１０５が押下されると（ステップＳ２）、スイッチ１０５から受信した決済処理信号を切替部１０３、コネクタ１０１及び第１伝送路３０の受信信号線３０ｃを介して主制御部２２に送信する（ステップＳ３）。一方、主制御部２２は、リーダライタ１００から決済処理信号を受信すると、リーダライタ１００に所定の決済情報要求信号を送信する。
【００５２】
ＲＷ制御部１０９は、主制御部２２から決済情報要求信号を受信すると（ステップＳ４）、記憶部１０８に記憶された電子マネー決済情報１１０を主制御部２２に送信する（ステップＳ５）。そして、主制御部２２は、リーダライタ１００から受信した電子マネー決済情報１１０と、記憶装置の貨幣決済情報とを決済情報出力部２３に送信し、これらの情報を印字出力させる。
【００５３】
次に、主制御部２２が異常動作した場合について説明すると、ＲＷ制御部１０９は、主制御部２２が異常動作していると判別したときに、切替部１０３の識別信号線１０３ｄに「Low」レベルの信号を送出することにより、主制御部２２との接続を各装置２３〜２９との接続に切替える（ステップＳ６）。これ以降の処理では、リーダライタ１００がマスタ装置として動作する。次に、ＲＷ制御部１０９は、接続切替時の時刻を主制御部２２の異常動作発生時刻としてタイマ回路から取得した後で（ステップＳ７）、スイッチ１０５が押下されると（ステップＳ８）、記憶部１０８の電子マネー決済情報１１０及び制御信号を、切替部１０３、コネクタ１０１及び第１伝送路３０の送信信号線３０ｂを介して決済情報出力部２３に送信する（ステップＳ９）。この場合、決済情報出力部２３は、電子マネー決済情報１１０を所定の用紙に印字して出力する。また、ＲＷ制御部１０９は、ステップＳ７において取得した主制御部２２の異常動作発生時刻を表示部１０４に表示させる（ステップＳ１０）。
【００５４】
なお、上記フローでは説明を省略したが、ＲＷ制御部１０９は、温度検知部（図示省略）によって検知された各商品収納庫ＳＲの温度を電子マネー決済情報１１０と共に決済情報出力部２３に送信することにより、電子マネー決済情報１１０及び各商品収納庫ＳＲの温度情報を所定の用紙に印字出力させるようにしてもよい。
【００５５】
また、ＲＷ制御部１０９は、前記ステップＳ７において取得した主制御部２２の異常動作発生時刻を電子マネー決済情報１１０と共に決済情報出力部２３に送信することにより、電子マネー決済情報１１０及び主制御部２２の異常動作発生時刻を所定の用紙に印字出力させるようにしてもよい。
【００５６】
次いで、リーダライタ１００がマスタ装置として商品搬出を行う場合のＲＷ制御部１０９の動作について図８のフローを参照して説明する。なお、初期状態では、リーダライタ１００はスレーブ装置として動作しているものとする。
【００５７】
ＲＷ制御部１０９は、主制御部２２が異常動作していると判別したときに（ステップＳ１１）、切替部１０３の識別信号線１０３ｄに「Low」レベルの信号を送出することにより、主制御部２２との接続を各装置２３〜２９との接続に切替える（ステップＳ１２）。次に、ＲＷ制御部１０９は、非接触ＩＣカード２００のカードＩＤ２０２ａを取得するためのＩＣカード用コマンドを、所定時間経過毎にＲＦ回路部１０６及びアンテナ１０７を介して外部に送信することによりＩＣカードを検知し（ステップＳ１３）、非接触ＩＣカード２００から送信されたカードＩＤ２０２ａを取得する（ステップＳ１４）。そして、ＲＷ制御部１０９は、取得したカードＩＤ２０２ａが管理者用カードとして用いられているものであった場合には（ステップＳ１５）、搬出駆動部２４に制御信号を送信する。この場合、搬出駆動部２４は、各商品収納ラック２に設けられた商品搬出機構２ｃを動作させることにより、商品Ｃを搬出する（ステップＳ１６）。これにより、ＲＷ制御部１０９が管理者用カードを判別した場合には、容易に商品Ｃを搬出することが可能となる。
【００５８】
このように、本実施形態の自動販売機用リーダライタ１００によれば、主制御部２２の動作状態を検知する検知部１０２と、検知部１０２によって所定の異常動作が検知されたときに主制御部２２との接続を自動販売機に設けられた決済情報出力部２３との接続に切替える切替部１０３と、切替部１０３によって接続が切替えられたときに電子マネー決済情報１１０を決済情報出力部２３から出力するように制御するＲＷ制御部１０９とを備えたので、電子マネー決済情報１１０を取得するための装置を自動販売機用リーダライタ１１０に直接接続することなく、電子マネー決済情報１１０を取得することができる。従って、電子マネー決済情報１１０を容易に出力することができることから、電子マネー決済情報１１０の確認及び収集を短時間で行うことができる。
【００５９】
また、切替部１０３は、検知部１０２によって所定の異常動作が検知されたときに主制御部２２との接続を、商品搬出機構２ｃを駆動する搬出駆動部２４との接続に切替えるとともに、ＲＷ制御部１０９は、切替部１０３によって主制御部２２との接続が搬出駆動部２４との接続に切替えられ、且つ所定のカードＩＤ２０２ａを有する管理者用カード２００との間でデータ通信を行ったときに、商品搬出機構２ｃから商品Ｃを搬出するように搬出駆動部２４を制御するので、ＲＷ制御部１０９の制御に基づいて商品Ｃを搬出することができ、主制御部２２が正常に動作しない場合でも自動販売機に収納された商品Ｃを容易に搬出させることができる。
【００６０】
さらに、ＲＷ制御部１０９は、電子マネー決済情報１１０とともに商品収納庫ＳＲの温度情報を決済情報出力部２３に出力させるので、主制御部２２の異常動作時において商品収納庫ＳＲに収納された商品Ｃの保温状態を確認することができる。従って、収納商品Ｃの保温状態に基づいて収納商品Ｃの搬出の要否を容易に判断することができるので、収納商品Ｃの品質劣化を低減することができる。
【００６１】
さらにまた、ＲＷ制御部１０９は、電子マネー決済情報１１０とともに主制御部２２の異常動作発生時刻を決済情報出力部２４に出力させるので、主制御部２２の異常動作発生時刻を容易に知ることができる。従って、異常動作発生時刻に基づいて収納商品Ｃの搬出の要否を判断することができるので、収納商品Ｃの品質劣化を低減することができる。
【００６２】
また、検知部１０２及び切替部１０３と第１伝送路３０とを接続するためのコネクタ１０１を一つ設けたので、検知部１０２及び切替部１０３に共通のインタフェースを用いて第１伝送路３０に接続することができ、リーダライタ１００の構成を簡単にすることができる。
【００６３】
なお、上記実施形態は本発明の一具体例に過ぎず、本発明が上記実施形態のみに限定されることはない。例えば、前記実施形態では、非接触ＩＣカード２００を情報記憶媒体として用いたものを示したが、他にもＲＦＩＤ（Ｒａｄｉｏ  Ｆｒｅｑｕｅｎｃｙ  Ｉｄｅｎｔｉｆｉｃａｔｉｏｎ）タグやＩＣチップを搭載した携帯電話等を情報記憶媒体として用いてもよい。
【００６４】
また、前記実施形態では、カードＩＤ２０２ａを識別情報として用いたものを示したが、カードＩＤ２０２ｂを識別情報として用いてもよい。
【図面の簡単な説明】
【００６５】
【図１】本発明の一実施形態を示す自動販売機の斜視図
【図２】図１に示した自動販売機の側面断面図
【図３】図１に示した自動販売機の制御系構成を示すブロック図
【図４】検知部及び切替部の論理回路を示す図
【図５】電子マネー決済情報のデータ構造の一例を示す図
【図６】非接触ＩＣカードの機能構成図
【図７】決済の締め処理を行う場合のＲＷ制御部の動作を説明するフロー図
【図８】マスタ装置として商品搬出を行う場合のＲＷ制御部の動作を説明するフロー図
【符号の説明】
【００６６】
１…自動販売機本体、２ｃ…複数の商品搬出機構、２２…主制御部、２３…決済情報出力部、２４…搬出駆動部、３０…第１伝送路、３４…第２伝送路、１００…リーダライタ、１０１…コネクタ、１０２…検知部、１０３…切替部、１０９…ＲＷ制御部、１１０…電子マネー決済情報、２００…非接触ＩＣカード、２０２ａ…カードＩＤ、２０２ｃ…電子マネー残高。
【図１】
2008129612.tif 000003
【図２】
2008129612.tif 000004
【図３】
2008129612.tif 000005
【図４】
2008129612.tif 000006
【図５】
2008129612.tif 000007
【図６】
2008129612.tif 000008
【図７】
2008129612.tif 000009
【図８】
2008129612.tif 000010